(57)【要約】      （修正有）【課題】コインランドリーにおいて、きめ細かい料金の値引きを行うことを可能とすることである。【解決手段】コインランドリー店舗１１の衣類用金銭割引装置５０について、各衣類取扱機械１２に取り付けられ、ユーザが所有するサービス識別情報を読み取るＱＲリーダ５３と、該サービス識別情報の有効性を判断する判断部（ＱＲＣ親機５１）と、判断部（ＱＲＣ親機５１）によりサービス識別情報が有効性であると判断されると、該サービス識別情報から特定されたサービス内容に応じて、金銭投入信号と信号形態が同一である疑似金銭投入信号を衣類取扱機械１２へ出力する擬似投入信号出力部（ＱＲＣ子機５２）とを有する構成とすることで、来店するユーザに対するきめ細かい料金の値引きを行うことが可能となる。【選択図】図１
2017140141.tif 000002
【特許請求の範囲】
【請求項１】
ユーザが所有するサービス識別情報を読み取り、該サービス識別情報の有効性を判断する判断部と、
前記判断部により前記サービス識別情報が有効性であると判断されると、該サービス識別情報から特定されたサービス内容に応じて、前記金銭投入信号と信号形態が同一である疑似金銭投入信号を前記衣類取扱機械へ出力する擬似投入信号出力部と、を有する
衣類用金銭割引装置。
【請求項２】
衣類取扱機械から送信される制限判断情報を受信し、該制限判断信号が前記判断部の動作を制限すべき情報に該当する場合、該判断部の判断の結果として、前記擬似投入信号出力部の出力を制限する
請求項１記載の衣類用金銭割引装置。
【請求項３】
前記制限判断情報は、該衣類取扱機械においてユーザが選択可能なメニューに関する情報であって、
前記判断部は、受信した前記制限判断情報から特定されたメニューが前記擬似投入信号出力部の出力を制限するべき情報に該当する場合、前記擬似投入信号出力部の出力を制限する
請求項２記載の衣類用金銭割引装置。
【請求項４】
前記判断部は、前記サービス識別情報が有効性であると判断された場合、所定の解除条件が成立するまで、前記擬似投入信号出力部の出力を制限する
請求項２または３のいずれかに記載に衣類用金銭割引装置。
【請求項５】
前記判断部は、前記衣類取扱機械から送信される取引終了情報を受信したときに前記所定の解除条件が成立したと判断し、前記擬似投入信号出力部の出力制限を解除する
請求項４に記載の衣類用金銭割引装置。
【発明の詳細な説明】
【技術分野】
【０００１】
本発明は、特にコインランドリー管理システムに用いられる衣類用金銭割引装置に関する。
【背景技術】
【０００２】
従来、コインランドリーを無人で営業したい、又は、２４時間の営業をしたい等の要望があった。
しかしながら、無人で２４時間営業にしたときの安全面に問題がある。
例えば、泥棒が入ったり、浮浪者に入られたりするなどの問題である。
また、無人で営業したときには、クレームの対応や返金の対応に遅れが生じ、手間がかかるという問題がある。
さらに、コインランドリーの経営では、特定の顧客からの集金も手間がかかるものである。
【０００３】
そこで、コインランドリー管理システムとして、様々な提案がなされている。
例えば特許文献１〜４において、インターネットで常時接続されたネットワークカメラの撮影画像に基づいて、コインランドリー利用者のクレーム対応を迅速且つ的確に行なえるコインランドリー管理システムを提案している。
さらに、コインランドリー管理システムにおいて各種の情報を提供するタッチパネル装置を用いた情報提供システムも提案している。
【先行技術文献】
【特許文献】
【０００４】
【特許文献１】特開２００１−１２９３００号公報
【特許文献２】特開２００６−３５２１７９号公報
【特許文献３】特開２００７−２９６６６号公報
【特許文献４】特開２００８−２８９８９５号公報
【発明の概要】
【発明が解決しようとする課題】
【０００５】
しかしながら、上記の特許文献１〜４に記載されているコインランドリー管理システムは、コインランドリー利用者のクレーム対応を迅速に行い、少人数での２４時間の管理を実現することができるが、近隣に競合店があるなどの場合に、売り上げを増加させるために料金の割引を設定することができないという問題点がある。
【０００６】
本発明は、上記問題点に鑑みなされたものであり、コインランドリーにおいて、衣類用金銭割引装置を導入することによって、きめ細かい料金の値引きを行うことを可能とすることである。
【課題を解決するための手段】
【０００７】
本発明の衣類用金銭割引装置は、ユーザが所有するサービス識別情報を読み取り、該サービス識別情報の有効性を判断する判断部と、前記判断部により前記サービス識別情報が有効性であると判断されると、該サービス識別情報から特定されたサービス内容に応じて、前記金銭投入信号と信号形態が同一である疑似金銭投入信号を前記衣類取扱機械へ出力する擬似投入信号出力部と、を有する。
【０００８】
好適には、衣類取扱機械から送信される制限判断情報を受信し、該制限判断信号が前記判断部の動作を制限すべき情報に該当する場合、該判断部の判断の結果として、前記擬似投入信号出力部の出力を制限する。
【０００９】
好適には、前記制限判断情報は、該衣類取扱機械においてユーザが選択可能なメニューに関する情報であって、前記判断部は、受信した前記制限判断情報から特定されたメニューが前記擬似投入信号出力部の出力を制限するべき情報に該当する場合、前記擬似投入信号出力部の出力を制限する。
【００１０】
好適には、前記判断部は、前記サービス識別情報が有効性であると判断された場合、所定の解除条件が成立するまで、前記擬似投入信号出力部の出力を制限する。
【００１１】
好適には、前記判断部は、前記衣類取扱機械から送信される取引終了情報を受信したときに前記所定の解除条件が成立したと判断し、前記擬似投入信号出力部の出力制限を解除する。
【発明の効果】
【００１２】
本発明によれば、上記問題点に鑑みなされたものであり、コインランドリーにおいて、衣類用金銭割引装置を導入することによって、きめ細かい料金の値引きを行うことが可能とすることである。
【図面の簡単な説明】
【００１３】
【図１】本発明の本実施形態に係るコインランドリー管理システムの一実施例を示すネットワーク構成の説明図である。
【図２】本発明の本実施形態に係る衣類用金銭割引装置を説明するブロック構成図である。
【図３】衣類取扱機械が選択可能なコースの説明図である。
【図４】ＱＲＣ親機での処理を説明する説明図である。
【発明を実施するための形態】
【００１４】
図１は本発明に係るコインランドリー管理システムの一実施例を示すネットワーク構成の説明図である。
【００１５】
以下、本発明の実施形態を詳細に説明する。
図１に示すように、本発明に係るコインランドリー管理システム１０は、コインランドリー店舗１１に設置された複数の乾燥機や洗濯乾燥機等の衣類取扱機械１２と金銭投入機３０（図２）とから衣類取扱機械１２への第１信号線４１、第２信号線４２、第１ＧＮＤ線４３、第３信号線４４、第４信号線４５に接続された衣類用金銭管理装置１３とを備えている（図２参照）。
また、コインランドリー管理システム１０は、衣類用金銭管理装置１３が光回線１４を介してインターネット１５に常時接続している。
加えて、管理者側１６に設置された端末装置１７（パーソナルコンピュータ１７−１、スマートフォン１７−２）も、インターネット１５に常時接続している
さらに、サーバ１８も、インターネット１５に常時接続している。
その結果、コインランドリー管理システム１０は、管理者側１６側の指示を常時受け付け可能である。
逆に、コインランドリー管理システム１０は、管理者側１６へ常時各種の情報を発信可能である。
サーバ１８、第１記憶部３２（図２参照）及び制御部２１の記憶装置の内容を、バックアップのためなどに記憶している。これによって、万一、衣類用金銭管理装置１３等が故障した場合などでも迅速に復旧が可能となる。
【００１６】
衣類用金銭管理装置１３は、金銭投入機３０（図２）から衣類取扱機械１２への第１信号線４１、第２信号線４２、第１ＧＮＤ線４３、第３信号線４４、第４信号線４５（図２）に接続された複数の衣類用金銭管理具１９と、複数の衣類用金銭管理具１９から一台の衣類用金銭管理具１９を選択して電気的に接続をするセレクタ部２０と、複数の衣類用金銭管理具１９とセレクタ部２０を介して電気的に接続する制御部２１と、ルータ２２と、を備えている。
また、衣類用金銭管理装置１３は、集金ボタン２５を有し、集金ボタン２５が押された場合に、各衣類用金銭管理具１９又は制御部２１は、金銭投入に関する情報を集計する。具体的には、前回集金ボタン２５が押された後から、今回集金ボタン２５が押されるまでの間の、ユーザが現実に投入した現金の額、衣類用金銭割引装置５０（ＱＲリーダ５３）によって割引された金銭の額等である。
【００１７】
制御部２１は、複数の衣類用金銭管理具１９の各第１インタフェース部３８（図２）と電気的に接続され、制御部２１は、各第１インタフェース部３８からの、金銭投入情報の入力を受け、制御部２１は、第１インタフェース部３８へ、後述の疑似金銭投入信号を出力させる疑似命令信号を出力する。
【００１８】
また、制御部２１は、情報通信網を通じて、他の端末装置に対して少なくとも金銭投入情報に関する情報を出力可能である。
金銭投入情報は実際にユーザが投入した金額である。
また、制御部２１は、最後にユーザによって金銭が投入された時刻などの情報を出力可能である。
さらに、制御部２１は、疑似金銭投入信号を出力したことによって、疑似的に発生させた金銭投入量に関する情報等を出力可能である。
【００１９】
さらに、コインランドリー店舗１１には、ルータ２２に図示しないネットワークカメラが接続されている。
そして、このネットワークカメラは、ルータ２２を介してインターネット１５に常時接続している。
その結果、ネットワークカメラの動画像データの送信を同時にすることができる。
なお、光回線１４は例であり、無線回線、ＬＡＮ回線、電話回線、その他、情報を通信することができるものであればどのようなものであってもよい。
【００２０】
以上のシステムに、さらに、衣類用金銭割引装置５０が衣類取扱機械１２に取り付けられている。
より具体的には、各衣類取扱機械１２にそれぞれ、ＱＲリーダ５３、ＱＲＣ親機５１及びＱＲＣ子機５２が取り付けられている。
ＱＲリーダ５３は、ＱＲＣ親機５１に電気的に接続されている。
ＱＲＣ親機５１に、ＱＲＣ子機５２が電気的に接続されている。
ＱＲＣ親機５１は、管理者側１６からの各種指令、データなどに応じて、後述する制御を行う。
【００２１】
ＱＲＣ親機５１は、インターネット１５に情報連絡可能にルータ２２を介して接続（有線、無線等）されている。
そのため、インターネット１５を介して、様々な情報及び指令を受けることができる。
なお、ＱＲＣ親機５１は、ルータ２２を介して、インターネット１５に接続されていると好適である。
【００２２】
インターネット１５には、ユーザ側１１６の各種端末１１７−２も接続されている。
例えば、各種端末１１７−２はスマートフォン、ＰＤＡなどがあり得る。
【００２３】
管理者側１６は、コインランドリー店舗１１を利用するユーザ側１１６の各種端末１１７−２に対して、割引条件情報、割引割合情報、割引を受ける際にＱＲリーダ５３に読み取らせるＱＲコード（登録商標）の画像情報、割引期間情報を、インターネット１５を介して情報発信する。
上記情報を受けた各種端末１１７−２は、これらの情報をユーザに対して表示する。
具体的には、割引を受けられる期間、割引を受けられる時間や日（曜日）等、その時間や日時における割引割合等を表示する。
また、各種端末１１７−２は、ユーザがコインランドリー店舗１１において、割引を希望するユーザの操作によって、表示画面に所定のＱＲコードを表示する事ができる。
【００２４】
他方、管理者側１６は、サーバ１８に衣類用金銭割引装置５０に対する下記の情報を書き換える（又は、書き加える）。
そのサーバ１８の情報に基づき、コインランドリー店舗１１内の衣類用金銭割引装置５０は、下記の情報を得ることになる。
ここで、下記の情報とは、例えば、割引を受けられる期間情報、割引条件情報、割引割合情報、割引を受ける際にＱＲリーダ５３に読み取らせるＱＲコードの画像に関する情報である。
これによって、管理者側１６は、上記各種情報を衣類用金銭割引装置５０内のＱＲＣ親機５１に発信する（命令することができる）。
これを受けたＱＲＣ親機５１は、上記各種情報をＱＲコード情報とメモリに記憶する。
割引条件情報は、割引を受けられる日や曜日、時間等の情報である。
【００２５】
コインランドリー店舗１１において、以下の操作をすることによって、ユーザは割引を得ることができる。
コインランドリー店舗１１に来店したユーザは、衣類取扱機械１２に洗浄を希望する衣類を投入する。
そして、次に、衣類取扱機械１２を操作して、コース選択を行う。
ここで、選択ができるコースは、例えば、図３のように、４つのコースから選択することができる。
コース選択が完了すると、次にユーザは金銭投入機３０（図２参照のこと）に硬貨等の金銭を投入することができる。
この状態で、ＱＲコードをユーザは各種端末１１７−２に表示させる。
ユーザは、表示されたＱＲコードが各衣類取扱機械１２に付属しているＱＲリーダ５３のカメラによって撮影可能になるような位置に提示する。
ＱＲリーダ５３がＱＲコードを読み込むと、ＱＲコード情報をＱＲＣ親機５１に出力する。
ＱＲＣ親機５１は、ＱＲコード情報と、メモリが記憶している上記各種情報とが合致しているか判断する。
より具体的には、
（１）ＱＲＣ親機５１は、提示されたＱＲコードが、メモリが記憶している所定のＱＲコードと一致するか判断する。
（２）ＱＲＣ親機５１は、ユーザによってまさにＱＲコードが提示された日時が、メモリが記憶している割引を受けられる期間情報の範囲内か判断する。
以上の（１）及び（２）の２つの条件が全て合致した場合に、ユーザによって提示されたＱＲコードが、割引が可能なＱＲコードであると、ＱＲＣ親機５１は判断する（以下、この提示されたＱＲコードが、割引が可能なＱＲコードであると判断した状態を、「割引可能ＱＲコード判断状態」という）。
次に、ＱＲＣ親機５１は、実際に割引するための信号（パルス）をＱＲＣ子機５２が発信して良いかの判断を行う。
この判断は、図３及び図４（特に、図４）のところで説明する。
そして、実際に割引するための信号（パルス）をＱＲＣ子機５２が発信して良いと、ＱＲＣ親機５１が判断した場合には、ＱＲＣ親機５１はＱＲＣ子機５２に実際に割引するための信号（パルス）を出力する。
【００２６】
図２は、本発明の本実施形態に係る衣類用金銭割引装置を説明するブロック構成図である。
【００２７】
衣類用金銭管理具１９は、第１ＣＰＵ３１、第１記憶部３２、第２信号検出部３３、第１信号検出部３４、第３信号検出部３９、第１擬似投入信号出力部３５、第１ＧＮＤ３６及び第１インタフェース部３８を備えている。また、衣類用金銭管理具１９は、機種非依存型検出部３７を備えている。
第２信号検出部３３と第１擬似投入信号出力部３５は、金銭投入機３０に１００円硬貨が投入されたときに衣類取扱機械１２に１００円投入信号を送る第１信号線４１に接続されている。
第１信号検出部３４は、金銭投入機３０に５００円硬貨が投入されたときに、衣類取扱機械１２に５００円投入信号を送る第２信号線４２に接続されている。
第１ＣＰＵ３１は、衣類用金銭管理具１９を総合的に制御している。
第１ＧＮＤ３６は、第１ＧＮＤ線４３に接続されている。
第３信号検出部３９は、ＱＲＣ子機５２よりも金銭投入機３０側で、第１信号線４１に電気的に接続されている。
【００２８】
第２信号検出部３３、第１信号検出部３４は、ユーザが金銭投入機３０に金銭を投入した場合に、金銭投入機３０から出力され衣類取扱機械１２へ入力される金銭投入信号を検出する。
すなわち、第２信号検出部３３は、ユーザが金銭投入機３０に１００円硬貨を投入した場合に、金銭投入機３０から出力され第１信号線４１によって衣類取扱機械１２へ入力される１００円投入信号を検出する。
第１信号検出部３４は、ユーザが金銭投入機３０に５００円硬貨を投入した場合に、金銭投入機３０から出力され第２信号線４２によって衣類取扱機械１２へ入力される５００円投入信号を検出する。
【００２９】
また、第２信号検出部３３は、１００円投入信号を受信した回数をカウントし、そのカウントした回数（１００円投入回数）を第１ＣＰＵ３１は、第１記憶部３２に記憶させる。第１信号検出部３４は、５００円投入信号を受信した回数をカウントし、そのカウントした回数（５００円投入回数）を第１ＣＰＵ３１は、第１記憶部３２に記憶させる。
【００３０】
第１擬似投入信号出力部３５は、金銭投入機３０からの金銭投入信号が出力されていない時に、金銭投入信号と同一の働きをする疑似金銭投入信号を衣類取扱機械１２へ出力する。
具体的には、第１擬似投入信号出力部３５は、リレー回路となっている。
より具体的には、第１擬似投入信号出力部３５は、第１スイッチ３５ａを有している。
そして、この第１スイッチ３５ａを、第１信号線４１の金銭投入機３０側の第１端部３５ｃと、第１信号出力部３５ｂとを切り替える。
この第１スイッチ３５ａの切り替えは、第１ＣＰＵ３１からの命令に基づいて、第１擬似投入信号出力部３５が行う。
ここで、第１信号出力部３５ｂは、所定の電圧（例えば５Ｖ）に接続された端子である。
そうすると、第１スイッチ３５ａを第１信号出力部３５ｂに接続（切換える）することによって、５Ｖの電圧を衣類取扱機械１２に供給することができる。
より具体的には、金銭投入機３０に金銭が投入された際に、金銭投入機３０が発生する信号（パルス、擬似投入信号）と同一の形状の信号を、第１擬似投入信号出力部３５は生成して、衣類取扱機械１２に供給することができる。
これによって、ユーザによって金銭が投入されない場合であっても、金銭が投入されたのと同様の信号を、衣類取扱機械１２に対して出力することができる。そして、ユーザは割引された利用料で、衣類取扱機械１２を使用することができる。
なお、上記の例では、第１信号線４１は、通常０Ｖで、金銭投入機３０に金銭が投入された際に、所定のボルト（例えば５Ｖ）が出力される機種について記載した。
しかし、機種によっては、逆に通常所定のボルト（例えば５Ｖ）となっており、金銭投入機３０に金銭が投入された際に、０Ｖが出力される機種であっても良い。
この場合には、第１信号出力部３５ｂは、ＯＶの電圧（例えば、ＧＮＤ）に接続された端子となる。
さらになお、第１擬似投入信号出力部３５が出力をするその瞬間を除いては、第１スイッチ３５ａは、第１端部３５ｃ端子に接続されている。
その結果、第１擬似投入信号出力部３５が出力をするその瞬間以外で、金銭投入機３０に金銭が投入された場合には、その信号は衣類取扱機械１２に送られる。
【００３１】
ここで、第１ＣＰＵ３１、第１記憶部３２及び第１インタフェース部３８は、衣類取扱機械１２の種類（メーカ、機種）に依存せず、どのような種類の機械であっても共通して使用する機種非依存部である。
他方、第２信号検出部３３、第１信号検出部３４及び第３信号検出部３９、第１擬似投入信号出力部３５及び第１ＧＮＤ３６は、機種に依存して設計・製造される機種依存部である。
このように機種依存部が存在するのは、メーカや機種によって、たとえば、金銭投入機３０から硬貨が投入された際に生ずるパルスの形状等が異なるからである。
【００３２】
第１インタフェース部３８は、第２信号検出部３３、第１信号検出部３４及び第３信号検出部３９が検出した情報を第１記憶部３２が記憶している情報である金銭投入信号に関する金銭投入情報を出力する。
例えば、第１インタフェース部３８は、制御部２１から要求された際に、第１記憶部３２に記憶されている１００円投入回数と５００円投入回数を制御部２１に出力する。
さらに、例えば、第１インタフェース部３８は、制御部２１から要求された際に、第１記憶部３２に記憶されている、プリペードカード投入機によって発生させられた金銭の情報について制御部２１に出力する。
【００３３】
第１ＣＰＵ３１は、制御部２１からセレクタ部２０を介して送られる制御信号に基づいて、第１記憶部３２と第２信号検出部３３、第１信号検出部３４、第３信号検出部３９と第１擬似投入信号出力部３５と第１ＧＮＤ３６と第１インタフェース部３８の動作を制御する。
【００３４】
第１信号線４１上の第１擬似投入信号出力部３５は、前述のように第１スイッチ３５ａを有する。
そのため、第１スイッチ３５ａを第１信号出力部３５ｂに接続して、所定の擬似投入信号を作成している場合には、第１信号線４１の金銭投入機３０側には、擬似投入信号が発生しない。
他方、第１信号線４１の衣類取扱機械１２側には、擬似投入信号が発生する。
そして、第１信号線４１の金銭投入機３０側の信号は、第２信号検出部３３によって検出される。
他方、第１信号線４１の衣類取扱機械１２側の信号は、分岐部４７に接続された第３信号検出部３９によって検出される。
その結果、金銭投入機３０に実際に、金銭が投入された場合には、第２信号検出部３３及び第３信号検出部３９の両方で信号が検出される。これによって、実際の金銭の投入額を検出することが可能となる。
他方、金銭投入機３０に実際に金銭が投入されていないにもかかわらず第１擬似投入信号出力部３５によって擬似投入信号が出力されている場合には、第１スイッチ３５ａは、第１信号出力部３５ｂに接続されている。
その結果、第２信号検出部３３には信号が検出されていないものの、第３信号検出部３９では信号が検出される。これによって、割引が行われたことを検出できる。
以上の方法によって、ユーザによって実際にお金が投入されたのか、衣類用金銭割引装置５０によって割引がなされたのかを、衣類用金銭管理具１９は区別することができる。
よって、割引された金額と、ユーザによって金銭投入機３０に投入された金額とを、衣類用金銭管理具１９は検出することが可能となる。
【００３５】
ＱＲＣ子機５２は、第１コネクタ６１及び第２コネクタ６２を有している。
衣類用金銭管理具１９は、第３コネクタ６３及び第４コネクタ６４を有している。
第１コネクタ６１、第２コネクタ６２、第３コネクタ６３及び第４コネクタ６４があることによって、衣類用金銭管理具１９及びＱＲＣ子機５２を容易に取り付け・取り外しすることが可能となる。
【００３６】
次に、上記構成の本発明の本実施形態に係る衣類用金銭管理具１９と衣類用金銭管理装置１３を備えたコインランドリー管理システム１０における、割引のないときの動作を説明する。
【００３７】
ユーザがコインランドリー店舗１１で衣類取扱機械１２を使用するときは、使用されていない衣類取扱機械１２の金銭投入機３０に必要な枚数の硬貨を投入する。
例えば、６００円必要とすると、１００円硬貨１枚と５００円硬貨１枚をユーザは、金銭投入機３０に投入する。
そのとき、金銭投入機３０から第１信号線４１に１００円投入信号が出力される。１００円投入信号は、衣類取扱機械１２に入力されると同時に、対応する衣類用金銭管理具１９の第２信号検出部３３によって検出される。
また、金銭投入機３０から第２信号線４２に５００円投入信号が出力される。５００円投入信号は、衣類取扱機械１２に入力されると同時に、対応する衣類用金銭管理具１９の第１信号検出部３４によって検出される。
衣類取扱機械１２は、使用する為に必要な６００円分の投入信号が入力されたので、使用可能となり、ユーザは、その衣類取扱機械１２を使用することができるようになる。
【００３８】
一方、１００円投入信号を受信した第２信号検出部３３は、１００円投入信号を受信した回数を１回とカウントし、そのカウントした回数（１００円投入回数）を第１ＣＰＵ３１が第１記憶部３２に記憶させる。
５００円投入信号を受信した第１信号検出部３４は、５００円投入信号を受信した回数を１回とカウントし、そのカウントした回数（５００円投入回数）を第１ＣＰＵ３１が第１記憶部３２に記憶させる。
【００３９】
第１インタフェース部３８は、制御部２１から出力命令がある場合に、第１記憶部３２に記憶された１００円投入回数１回と５００円投入回数１回をセレクタ部２０を介して制御部２１に出力する。
制御部２１は、それらの複数の衣類取扱機械１２のそれぞれに対応する衣類用金銭管理具１９の第１記憶部３２に記憶された硬貨投入回数と硬貨が投入された時刻に関する情報を記憶する。その情報は、インターネット１５を経由して管理者側１６の端末装置（パーソナルコンピュータ１７−１、スマートフォン１７−２）によって取得することができる。
【００４０】
次に上記構成の本発明の本実施形態に係る衣類用金銭管理具１９と衣類用金銭管理装置１３を備えたコインランドリー管理システム１０での、割引をするときの動作を説明する。
まず、金銭投入機３０にＮ個（例えば３個）の１００円硬貨が投入されたとき、金銭投入機３０からは、第１信号線４１に１００円投入信号がＮ回のパルスとして出力される。
そのとき、衣類用金銭管理具１９の第２信号検出部３３は、Ｎ回のパルスの１００円投入信号を検出する。第１ＣＰＵ３１は、第１記憶部３２に予め記憶された金銭投入信号の検出回数に対する疑似金銭投入信号の出力回数の関係に従って、第１擬似投入信号出力部３５を制御し、Ｍ回の疑似金銭投入信号のパルスを、第１信号線４１を介して衣類取扱機械１２に出力する。
これにより、衣類取扱機械１２には、第１信号線４１から（Ｎ＋Ｍ）回の１００円投入信号が入力されることになり、（Ｎ＋Ｍ）×１００円分の利用ができることになる。
なお、Ｍ回の疑似金銭投入信号のパルスは、所定の時間（たとえば３分程度）の間に、１回のみ発生させる構成としてもよいし、複数回発生させてもよい。ここで、複数回発生させる場合とは、Ｎ回のパルスの後にＭ回のパルスを発生させた後に、さらに、ユーザによって金銭が投入されたＮパルスがあった場合に、再度Ｍ回のパルスを発生する場合である。さらに、Ｎ回のパルスがあれば、何度でもＭ回のパルスを発生させる場合である。
なお、たとえば３分としたのは、その間であれば、たとえユーザが両替等で金銭の投入が遅れてしまった場合であっても、ユーザが金銭の投入を完了すると考えられるからである。ここで、あまり長い時間をとってしまうと、関係ない次の利用者へ割引がなされてしまう恐れがあるので、３分程度が適切である。
【００４１】
上記の金銭投入信号の検出回数Ｎと疑似金銭投入信号の出力回数Ｍとの関係は、制御部２１によって設定可能であり、制御部２１の命令により、衣類用金銭管理具１９の第１記憶部３２に金銭投入信号の検出回数Ｎと疑似金銭投入信号の出力回数Ｍが記憶される。
また、第１記憶部３２には、割引を実行するための制御プログラムが記憶されており、第１ＣＰＵ３１は、その制御プログラムを実行することにより、衣類用金銭管理具１９の各装置の動作を制御する。また、金銭投入信号の検出回数Ｎと疑似金銭投入信号の出力回数Ｍとの関係は、管理者側１６の端末装置（パーソナルコンピュータ１７−１、スマートフォン１７−２）から制御部２１への操作により設定可能である。
【００４２】
衣類用金銭管理具１９は、情報通信網に接続された他の端末装置（パーソナルコンピュータ１７−１、スマートフォン１７−２）による操作によって、疑似金銭投入信号を衣類取扱機械１２へ出力することにより、割引をすることもできる。
【００４３】
次に、本発明の重要部分である、衣類用金銭割引装置５０について図２を用いて説明する。
衣類用金銭割引装置５０は、ＱＲリーダ５３、ＱＲＣ親機５１及びＱＲＣ子機５２を有している。
ＱＲＣ親機５１は、メモリを有している。ＱＲＣ親機５１は、インターネット１５に接続されている。
【００４４】
ＱＲＣ子機５２は、第２インタフェース部１３８、第２記憶部１３２、第２ＧＮＤ１３６、第２ＣＰＵ１３１、第２擬似投入信号出力部１３５、第４信号検出部１３９及び第５信号検出部１３３を有する。
【００４５】
第４信号検出部１３９は、衣類取扱機械１２から出力される第４信号線４５の入力を受ける。
第５信号検出部１３３は、第３信号線４４の信号を検出する。
第２ＣＰＵ１３１は、ＱＲＣ子機５２全体を制御する。
第２記憶部１３２は、所定の内容を記憶する。
第２擬似投入信号出力部１３５は、第２ＣＰＵ１３１からの命令に応じて、所定の回数のパルスを第１信号線４１に出力する。
【００４６】
第２擬似投入信号出力部１３５は、金銭投入機３０からの金銭投入信号が出力されていない時に、金銭投入信号と同一の働きをする疑似金銭投入信号を衣類取扱機械１２へ出力する。
具体的には、第２擬似投入信号出力部１３５は、リレー回路となっている。
より具体的には、第２擬似投入信号出力部１３５は、第２スイッチ１３５ａを有している。
そして、この第２スイッチ１３５ａを、第１信号線４１の金銭投入機３０側の第２端部１３５ｃと、第２信号出力部１３５ｂとを切り替える。
この第２スイッチ１３５ａの切り替えは、第２ＣＰＵ１３１からの命令に基づいて、第２擬似投入信号出力部１３５が行う。
ここで、第２信号出力部１３５ｂは、所定の電圧（例えば５Ｖ）に接続された端子である。
そうすると、第２スイッチ１３５ａを第２信号出力部１３５ｂに接続（切換える）することによって、５Ｖの電圧を衣類取扱機械１２に供給することができる。
より具体的には、金銭投入機３０に金銭が投入された際に、金銭投入機３０が発生する信号（パルス、擬似投入信号）と同一の形状の信号を、第２擬似投入信号出力部１３５は生成して、衣類取扱機械１２に供給することができる。
これによって、ユーザによって金銭が投入されない場合であっても、金銭が投入されたのと同様の信号を、衣類取扱機械１２に対して出力することができる。そして、ユーザはＱＲコードを提示することによる割引された利用料で、衣類取扱機械１２を使用することができる。
なお、上記の例では、第１信号線４１は、通常０Ｖで、金銭投入機３０に金銭が投入された際に、所定のボルト（例えば５Ｖ）が出力される機種について記載した。
しかし、機種によっては、逆に通常所定のボルト（例えば５Ｖ）となっており、金銭投入機３０に金銭が投入された際に、０Ｖが出力される機種であっても良い。
この場合には、第２信号出力部１３５ｂは、ＯＶの電圧（例えば、ＧＮＤ）に接続された端子となる。
さらになお、第２擬似投入信号出力部１３５が出力をするその瞬間を除いては、第２スイッチ１３５ａは、第２端部１３５ｃ端子に接続されている。
その結果、第２擬似投入信号出力部１３５が出力をするその瞬間以外で、金銭投入機３０に金銭が投入された場合には、その信号は衣類取扱機械１２に送られる。
【００４７】
第２擬似投入信号出力部１３５のパルス出力をすることによって、衣類取扱機械１２を本来の料金よりも割引でユーザが利用することが可能となる。
第２記憶部１３２は、第４信号検出部１３９及び第５信号検出部１３３の検出結果、第２擬似投入信号出力部の出力結果、並びに、これらからの計算結果等を記憶することができる。
第２インタフェース部１３８は、第２記憶部１３２が記憶しているこれらの情報を、ＱＲＣ親機５１に対して出力することができる。
第２インタフェース部１３８は、第４信号検出部１３９及び第５信号検出部１３３の検出結果、第２擬似投入信号出力部の出力結果、並びに、これらからの計算結果等を、第２記憶部１３２を介さずに直接出力することもできる。
また、第２インタフェース部１３８は、ＱＲＣ親機５１からの命令信号の入力を受ける。この命令入力に基づいて、第２ＣＰＵ１３１は、第２擬似投入信号出力部１３５に所定の回数のパルス（金銭擬似投入信号）を出力させる。
【００４８】
ＱＲリーダ５３は、ユーザに提示されたＱＲコードを読み取り、その情報をＱＲＣ親機５１に対して出力する。
ＱＲＣ親機５１は、ＱＲＣ子機５２からの入力、ＱＲリーダ５３からの入力及び前もって管理者側１６から提供されメモリに記憶している情報から、ＱＲＣ子機５２に金銭擬似投入信号を出力させるか否かを判断する。
また、ＱＲＣ親機５１は、ＱＲＣ子機５２に金銭擬似投入信号を出力させる場合に、その金銭擬似投入信号を出力させる回数を判断する。
その判断結果は、ＱＲＣ子機５２に対して命令信号として出力される。
【００４９】
図３は、衣類取扱機械１２が選択可能なコースの説明図である。
【００５０】
なお、以下のコースは単なる一例である。
コース１は、洗濯及び乾燥の両方を行う場合であり、かつ、乾燥時間が６６分で、料金が１７００円という最も高額なコースである。
コース２は、洗濯及び乾燥の両方を行う場合であり、かつ、乾燥時間が５２分で、料金が１４００円という比較的高額なコースである。
コース３は、洗濯のみを行う場合であり、料金が１０００円というコースである。
コース４は、乾燥のみを行う場合であり、料金が８分あたり１００円というコースである。
この内、コース１〜コース３をユーザが選択した場合においてのみ、ＱＲコードによる割引を行いたいというニーズがある。
なお、コース１〜コース３それぞれに、割引割合が異なるようにしたほうが好適である。
より具体的には、コース１がもっとも割引割合が高くなるようにして、ユーザをより高額なコースに誘導することも可能である。
【００５１】
図４は、ＱＲＣ親機５１での、処理を説明する説明図である。
【００５２】
衣類取扱機械１２は、第３信号線４４を介して、金銭投入機３０に対してユーザが金銭投入できなくするためのコイン受入許可信号を出力している（以下の説明において、図２も参照のこと）。
これに基づいて、金銭投入機３０は、ユーザの金銭投入を受け入れるか否かの処理を行っている。
この第３信号線４４の出力内容をＱＲＣ子機５２（第５信号検出部１３３）は検出可能である。
そして、第３信号線４４の出力内容は、第２インタフェース部１３８を介して、ＱＲＣ親機５１に出力されている。
この出力内容が、図４のコイン受入許可（４４）信号である。
このコイン受入許可（４４）信号がＨｉｇｈ状態（以下、Ｈｉｇｈ状態を単に「Ｈ状態」と表記する。）の時にのみ、金銭投入機３０は金銭の受入を行う。
ユーザが衣類取扱機械１２の操作（具体的には、コース選択）を完了する（コース選択Ａ時）と、コイン受入許可（４４）信号がＨ状態となる。
これによって、ユーザによるコインの投入が可能となる。
そして、ユーザによるコインの投入が設定金額に達する（設定金額到達Ｂ）と、衣類取扱機械１２はコイン受入許可（４４）信号をＬｏｗ状態（以下、Ｌｏｗ状態を単に「Ｌ状態」と表記する。）とする。
なお、コース４では乾燥時間を延長する為めに、ユーザがコインの追加投入をする可能性があるので、Ｈ状態が維持される（破線のコース４時）。
いずれのコースであっても、コイン受入許可（４４）信号は、衣類取扱機械１２の運転が終了した時に（運転終了Ｃ）Ｌ状態となる。コース４であっても、運転終了後にコインの投入を認めるべきではないからである。
【００５３】
衣類取扱機械１２は、第４信号線４５を介して、ＱＲコード読込制限（４５）信号を出力している。
この第４信号線４５の出力内容をＱＲＣ子機５２（第４信号検出部１３９）は検出可能である。
そして、第４信号線４５の出力内容は、第２インタフェース部１３８を介して、ＱＲＣ親機５１に出力されている。
このＱＲコード読込制限（４５）信号がＨｉｇｈ状態の時には、有効なＱＲコードの読み込みがあっても、ＱＲＣ親機５１は、ＱＲＣ子機５２にパルスの出力を許可しない。
逆に、このＱＲコード読込制限（４５）信号がＬ状態の時には、有効なＱＲコードの読み込みがあれば、ＱＲＣ親機５１は、ＱＲＣ子機５２にパルスの出力を許可する。
【００５４】
衣類取扱機械１２は、コース選択がされる前は、ＱＲコード読込制限（４５）信号をＬ状態に維持する。
そして、コース選択された結果、このコースがコース４の場合、ＱＲコード読込制限（４５）信号をＨ状態とする。
他方、コース選択された結果、このコースがコース１〜コース３の場合、ＱＲコード読込制限（４５）信号をＬ状態に維持する。この場合であっても、衣類取扱機械１２に付属している洗濯・乾燥を始めるための操作がユーザによって操作された場合（スタートボタン押下Ｄ）には、Ｈ状態に変化させる。
コース１〜コース４いずれのコースであっても、ＱＲコード読込制限（４５）信号は、衣類取扱機械１２の運転が終了した時に（運転終了Ｃ）Ｌ状態となる。
【００５５】
割引可能ＱＲコード判断状態（図１に関する説明の最後部分付近参照）の場合であり、コイン受入許可（４４）信号がＨ状態、かつ、ＱＲコード読込制限（４５）信号がＬ状態の時に、ＱＲＣ親機５１はＱＲＣ子機５２に金銭擬似投入信号を出力させることが可能な状態（以下、金銭擬似投入信号を出力させることが可能な状態を「擬似投入信号出力可能状態」という。）となる。
ただし、この判定のみでは、ユーザに複数回同じＱＲコードを提示されると、その回数だけ、金銭擬似投入信号を出力してしまい適切ではない。
そのため、ＱＲＣ親機５１は、内部フラグであるＱＲコード多重読込禁止Ｆｌｇを有している。
ＱＲコード多重読込禁止Ｆｌｇは、ＱＲコードの読込がありＱＲＣ親機５１がＱＲＣ子機５２に金銭擬似投入信号を出力（ＱＲによる擬似投入信号出力Ｅ）させると、Ｌ状態からＨ状態となる。
そして、ＱＲコード多重読込禁止ＦｌｇがＬ状態で、擬似投入信号出力可能状態となった場合に、ＱＲＣ親機５１はＱＲＣ子機５２に金銭擬似投入信号を出力させる。
他方、ＱＲコード多重読込禁止ＦｌｇがＨ状態では、擬似投入信号出力可能状態となった場合にであっても、ＱＲＣ親機５１はＱＲＣ子機５２に金銭擬似投入信号を出力させない。
その結果、ＱＲコードが提示された最初の１回のみ割引が適用され、２回目以降は割引が適用されない。
そして、運転終了Ｃとなった時には、ＱＲコード多重読込禁止ＦｌｇはＬ状態にもどる。
これによって、洗濯・乾燥が終了して再度コースが選択されると、再び同じＱＲコードが提示された場合であっても、同じように割引される。
【００５６】
＜実施形態の構成及び効果＞
衣類用金銭割引装置５０は、ユーザが所有するサービス識別情報（ＱＲコード）を読み取り、該サービス識別情報（ＱＲコード）の有効性を判断する判断部（ＱＲＣ親機５１）と、判断部（ＱＲＣ親機５１）によりサービス識別情報（ＱＲコード）が有効性であると判断されると、該サービス識別情報から特定されたサービス内容（コース１〜コース４）に応じて、金銭投入信号と信号形態が同一である疑似金銭投入信号を衣類取扱機械１２へ出力する擬似投入信号出力部（ＱＲＣ子機５２）と、を有する。
このような構成を有することによって、きめ細かい料金の値引きを行うことが可能となる。
【００５７】
衣類取扱機械１２から送信される制限判断情報（ＱＲコード読込制限（４５）信号）を受信し、該制限判断信号（ＱＲコード読込制限（４５）信号）が判断部（ＱＲＣ親機５１）の動作を制限すべき情報に該当する場合、該判断部（ＱＲＣ親機５１）の判断の結果として第１擬似投入信号出力部（ＱＲＣ子機５２）の出力を制限する。
このような構成を有することによって、不適切な場合に割引を行うことを制限することが可能となる。
【００５８】
制限判断情報（ＱＲコード読込制限（４５）信号）は、衣類取扱機械１２においてユーザが選択可能なメニュー（コース１〜コース４）に関する情報であって、判断部（ＱＲＣ親機５１）は、受信した制限判断情報（ＱＲコード読込制限（４５）信号）から特定されたメニュー（コース１〜コース４）が擬似投入信号出力部（ＱＲＣ子機５２）の出力を制限するべき情報に該当する場合、擬似投入信号出力部（ＱＲＣ子機５２）の出力を制限する。
このような構成を有することによって、割引を受けさせたくないコースを選択した場合に、割引を行うことを制限することが可能となる。
【００５９】
判断部（ＱＲＣ親機５１）は、サービス識別情報（ＱＲコード）が有効性であると判断された場合、所定の解除条件が成立するまで、擬似投入信号出力部（ＱＲＣ子機５２）の出力を制限する。
このような構成を有することによって、複数回割引が行われることを防止することができる。
【００６０】
判断部（ＱＲＣ親機５１）は、衣類取扱機械１２から送信される取引終了情報（運転終了Ｃ）を受信したときに所定の解除条件が成立したと判断し、擬似投入信号出力部（ＱＲＣ子機５２）の出力制限を解除する。
このような構成を有することによって、別の洗濯・乾燥工程が始まった際に、再度の割引が可能となる。
【００６１】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【００６２】
＜定義部＞
なお、本発明において、衣類取扱機械の一例が、洗濯機、乾燥機、乾燥機能付き洗濯機である。つまり、衣類取扱機械は、衣類を取り扱うものであればどのようなものであってもよい。
【符号の説明】
【００６３】
１０          ：コインランドリー管理システム
１１          ：コインランドリー店舗
１２          ：衣類取扱機械
１３          ：衣類用金銭管理装置
１５          ：インターネット
１６          ：管理者側
１７          ：端末装置
１９          ：衣類用金銭管理具
２１          ：制御部
３０          ：金銭投入機
４７          ：分岐点
５０          ：衣類用金銭割引装置
５１          ：ＱＲＣ親機（判断部）
５２          ：ＱＲＣ子機（擬似投入信号出力部）
５３          ：ＱＲリーダ
６１          ：第１コネクタ
６２          ：第２コネクタ
６３          ：第３コネクタ
６４          ：第４コネクタ
１１６        ：ユーザ側
１１７−２    ：端末
１３１        ：第２ＣＰＵ
１３２        ：第２記憶部
１３３        ：第５信号検出部
１３５        ：第２擬似投入信号出力部
１３６        ：第２ＧＮＤ
１３８        ：第２インタフェース部
１３９        ：第４信号検出部
【図１】
2017140141.tif 000003
【図２】
2017140141.tif 000004
【図３】
2017140141.tif 000005
【図４】
2017140141.tif 000006